【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
ハニカム材料をワークピースに取り付けるためのファスナーであって、ハニカム材料とワークピースは１つの穴を規定し、前記ファスナーは、
穴への挿入に適用される後側スリーブと、
穴への挿入に適用される前側スリーブと、
ステムヘッドおよびそこから延びたシャンクを有したステム部材とを備え、
前記後側スリーブは、少なくとも部分的にそこを通して延びる開口を有し、
前記前側スリーブは、完全にそこを通して延びる開口を有し、前記前側スリーブの少なくとも一部分は、この部分が前記後側スリーブの前記開口内に配置可能であるように構成され、
前記シャンクは、前記前側スリーブの前記開口内に配置され、前記ステムヘッドは、前記後側スリーブの前記開口内に配置され、前記ステム部材は、前記ステムヘッドが前記前側スリーブの前記開口内へ引き込まれたときに、前記ステムヘッドが前記前側スリーブを拡張するように構成され、前記前側スリーブの拡張は、前記後側スリーブの拡張を生じさせ、このとき前記第１および前側スリーブは一緒にロックして、前記ファスナーをハニカム材料およびワークピースに取り付けるものであることを特徴とするファスナー。
【請求項２】
前記後側スリーブは、その第１端部にヘッド及び前記ヘッドからその第２端部へ延びるスリーブ部分を有し、前記後側スリーブの前記ヘッドは、このヘッドが前記穴を通過できないように構成され、前記後側スリーブの前記開口は、前記後側スリーブの第２端部から前記後側スリーブの第１端部に向けて延び、前記前側スリーブは、その第１端部にヘッド及び前記ヘッドからその第２端部へ延びるスリーブ部分を有し、前記前側スリーブの前記ヘッドは、このヘッドが前記穴を通過できないように構成され、前記前側スリーブの前記スリーブ部分の少なくとも一部分は、その部分が前記後側スリーブの前記スリーブ部分の前記開口内に配置可能であるように構成されている請求項１に記載のファスナー。
【請求項３】
前記ステムを前記前側スリーブにロックする手段を更に備える請求項２に記載のファスナー。
【請求項４】
前記ロックする手段は、前記ステムに設けられたロック溝と前記前側スリーブの前記スリーブ部分との間に配置されたロック用カラーを有し、前記ロックする手段は更に、前記ステムの回りに配置された駆動用金床を有し、この駆動用金床は、前記駆動用金床が前記ロック用カラーの移動を阻止するように構成され、この結果、前記ステムヘッドが前記前側スリーブの前記開口内へ引き込まれて、前記ロック用カラーが前記前側スリーブの前記開口上で前記駆動用金床と接触したときに、前記ロック用カラーは前記ロック溝および前記前側スリーブの前記開口内で変形し、そのロック用カラーの変形が前記ステムを前記前側スリーブをロックする請求項３に記載のファスナー。
【請求項５】
前記前側スリーブの前記開口の直径は、前記ヘッド内において、前記前側スリーブの前記スリーブ部分内における前記開口の直径より大きく、前記ロック用カラーは、前記前側スリーブの前記開口内へ変形可能である請求項４に記載のファスナー。
【請求項６】
前記ステムには弱い部分が設けられ、この弱い部分と前記ステムとの間の間隔は前記ファスナーのグリップ長の範囲内にあり、これにより前記ステムは、前記ロック用カラーの変形が前記ステムの移動を停止するときに、前記弱い部分が壊れるように構成されている請求項４に記載のファスナー。
【請求項７】
前記弱い部分は、前記ロック用溝から離れて配置されたブレーク溝であり、前記ロック用カラーは、前記前側スリーブにスライド自在に嵌合して、前記ブレーク溝と重なる請求項６に記載のファスナー。
【請求項８】
前記ステムは、このステムがセット用ツールによって把持可能であって、前記駆動用金床に加えられる圧縮力に対する反作用としての張力を受けるように構成されている請求項４に記載のファスナー。
【請求項９】
ハニカム材料をワークピースに取り付けるためのファスナーであって、ハニカム材料とワークピースは１つの穴を規定し、前記ファスナーは、
穴への挿入に適用される後側スリーブと、
穴への挿入に適用される前側スリーブと、
ステムヘッドおよびそこから延びたシャンクを有したステム部材と、
前記ステムを前記前側スリーブにロックする手段と、を備え、
前記後側スリーブは、少なくとも部分的にそこを通して延びる開口を有するとともに、その第１端部にヘッド及び前記ヘッドからその第２端部へ延びるスリーブ部分を有し、前記後側スリーブの前記ヘッドは、このヘッドが前記穴を通過できないように構成され、前記後側スリーブの前記開口は、前記後側スリーブの第２端部から前記後側スリーブの第１端部に向けて延び、
前記前側スリーブは、完全にそこを通して延びる開口を有するとともに、その第１端部にヘッド及び前記ヘッドからその第２端部へ延びるスリーブ部分を有し、前記前側スリーブの少なくとも一部分は、この部分が前記後側スリーブの前記開口内に配置可能であるように構成され、前記前側スリーブの前記ヘッドは、このヘッドが前記穴を通過できないように構成され、前記前側スリーブの前記スリーブ部分の少なくとも一部分は、その部分が前記後側スリーブの前記スリーブ部分の前記開口内に配置可能であるように構成され、
前記シャンクは、前記前側スリーブの前記開口内に配置され、前記ステムヘッドは、前記後側スリーブの前記開口内に配置され、前記ステム部材は、前記ステムヘッドが前記前側スリーブの前記開口内へ引き込まれたときに、前記ステムヘッドが前記前側スリーブを拡張するように構成され、前記前側スリーブの拡張は、前記後側スリーブの拡張を生じさせ、このとき前記第１および前側スリーブは一緒にロックして、前記ファスナーをハニカム材料およびワークピースに取り付けるものであり、
前記ロック用手段は、第１のワッシャ要素および第２のワッシャ要素を有するシフト用ワッシャを含み、前記第１及び第２のワッシャ要素は、同心的に配置されているが、互いに軸方向にオフセットされ、前記第１及び第２のワッシャ要素は、剪断部によって一緒に結合され、前記第１のワッシャ要素は、前記剪断部の剪断時に、前記第２のワッシャ要素の内部寸法内へスライド自在に嵌合できるサイズであり、前記ロック用手段はまた、前記ワッシャ要素の双方から、並びに前記第２のワッシャ要素の下にある前記前側スリーブから、始めは分離されているロック用カラーを含み、前記前側スリーブは、前記離脱部分が最大力に応答したときの結果として前記第２のワッシャ要素によって係合され得るものであり、前記最大力は、前記ステムおよび前記前側スリーブをそれぞれの位置にロックするために、前記半径方向内側の要素によって、前記ステムおよび前記前側スリーブ上の協同手段内に加えられるものであるファスナー。
【請求項１０】
前記前側スリーブの前記開口の直径は、そのヘッド内において、前記前側スリーブのスリーブ部分内における前記開口の直径より大きく、前記ロック用カラーは、前記前側スリーブの前記開口内へ変形するように構成されている請求項９に記載のファスナー。
【請求項１１】
前記ステムには弱い部分が設けられ、この弱い部分と前記ステムとの間の間隔は前記ファスナーのグリップ長の範囲内にあり、これにより前記ステムは、前記ロック用カラーの変形が前記ステムの移動を停止するときに、前記弱い部分が壊れるように構成されている請求項９に記載のファスナー。
【請求項１２】
前記弱い部分は、前記ロック用溝から離れて配置されたブレーク溝であり、前記ロック用カラーは、前記前側スリーブにスライド自在に嵌合して、前記ブレーク溝と重なる請求項９に記載のファスナー。
【請求項１３】
前記ステムは、前記シフト用ワッシャに加えられた圧縮力に対する反作用としての張力を受けるために、セット用ツールによって把持されるように適用される請求項１２に記載のファスナー。
【請求項１４】
後側スリーブと、前側スリーブと、ステム部材とを備えるファスナーであって、
前記後側スリーブは、一端部にヘッドを有し、また他端部に拡張可能なスリーブ部分を有し、前記拡張可能なスリーブ部分は、その中に開口を有し、
前記前側スリーブは、一端部にヘッド部分を有し、また他端部にスリーブ部分を有し、前記前側スリーブのスリーブ部分は、前記後側スリーブの前記スリーブ部分の前記開口内に配置可能に構成され、前記前側スリーブは、そこを通して延びる開口を有し、
前記ステム部材は、その一端部にヘッド部分を有し、前記ヘッド部分は、前記後側スリーブの前記開口内に配置可能に構成され、
前記ステム部材はまた、前記ヘッド部分からその他端部へ延びるシャンクを有し、前記シャンクは、前記前側スリーブの前記開口内に実体上配置可能に構成され、前記シャンクは、前記ステム部材を引くためのツールによって係合されるように適用される引くための部分を前記他端部に有し、
前記ステム部材の前記ヘッド部分は、前記前側スリーブの前記開口内に引き込まれ、これにより前記前側スリーブのスリーブ部分は拡張され、前記前側スリーブの拡張は次に前記後側スリーブのスリーブ部分を拡張し、これにより前記後側スリーブと前記前側スリーブが一緒に結合されることを特徴とするファスナー。
【請求項１５】
前記ステムを前記前側スリーブにロックする手段を更に備える請求項１４に記載のファスナー。
【請求項１６】
ハニカム材料と、第１のワークピースと、第２のワークピースと、ファスナーとの組み合わせであって、
前記ハニカム材料は、内外面を有した第１のハニカム外板と、内外面を有した第２のハニカム外板と、前記第１及び第２のハニカム外板の間に設けられたハニカム内装とを有し、前記ハニカム材料は、そこを通る開口を有し、
前記第１のワークピースは、前記第１のハニカム外板の外面に対して配置され、前記第１のワークピースは、そこを通る開口を有し、この開口は、前記ハニカム材料の開口と整列しており、
前記第２のワークピースは、前記第２のハニカム外板の外面に対して配置され、前記第２のワークピースは、そこを通る開口を有し、この開口は、前記ハニカム材料の開口と整列しており、
前記ファスナーは、前記第１のワークピースの開口内に配置可能で、且つ前記ハニカム材料の開口内に少なくとも部分的に配置可能な後側スリーブを有し、この後側スリーブは、そこを部分的に通して延びる開口を有し、前記後側スリーブの少なくとも一部分は、前記ハニカム材料の開口内で半径方向に拡張され、その手法で前記後側スリーブを前記ハニカム材料に堅固に固定するように構成され、
前記ファスナーはまた、前記第２のワークピースの開口内に配置可能で、且つ前記ハニカム材料と前記後側スリーブの開口内に少なくとも部分的に配置可能な前側スリーブを有し、この前側スリーブは、そこを部分的に通して延びる開口を有し、前記前側スリーブの少なくとも一部分は、前記後側スリーブの開口内で半径方向に拡張され、その手法で前記前側スリーブを前記後側スリーブに堅固に固定するように構成されていることを特徴とする組み合わせ。
【請求項１７】
前記ファスナーは更に、ステム部材と、このステム部材を前記前側スリーブにロックする手段とを含み、前記ステム部材は、ヘッド部分と、そこから延びたシャンク部分とを有し、前記ヘッド部分は、前記前側スリーブの前記半径方向に拡張された部分の近くの前記前側スリーブの開口内に配置可能である請求項１６に記載の組み合わせ。
【請求項１８】
前記第１及び第２のワークピースは、その中に設けられた座ぐりフライスを有し、これらの座ぐりフライスは、前記第１及び第２のワークピースの前記開口と連通し、前記第１及び前側スリーブは、ヘッド部分を有し、前記後側スリーブのヘッド部分は、前記第１のワークピースの座ぐりフライス内に配置可能であり、前記前側スリーブのヘッド部分は、前記第２のワークピースの座ぐりフライス内に配置可能である請求項１７に記載の組み合わせ。
【請求項１９】
前記ロックする手段は、前記前側スリーブのヘッド部分と前記ステム部材のシャンク部分との間に設けられている請求項１８に記載の組み合わせ。
【請求項２０】
第１及び第２のワークピースをハニカム材料に取り付ける方法であって、このハニカム材料は、第１のハニカム外板と、第２の第１のハニカム外板と、それらの間のハニカム内装とを有し、前記ハニカム材料は、そこを通る開口を有し、前記第１のワークピースは、そこを通る開口を有し、前記第２のワークピースは、そこを通る開口を有し、前記方法は、
ａ）前記第１のワークピースを前記第１のハニカム外板に対して配置して、前記第１のワークピースおよび前記ハニカム材料の開口を整列させる工程と、
ｂ）前記第２のワークピースを前記第２のハニカム外板に対して配置して、前記第２のワークピースおよび前記ハニカム材料の開口を整列させる工程と、
ｃ）後側スリーブを、前記第１のワークピースの開口を通して、前記ハニカム材料の開口内に挿入する工程であって、前記後側スリーブは、少なくともそこを部分的に通して延びる開口を有する工程と、
ｄ）ステム部材を、前側スリーブの開口を通して挿入する工程であって、前記前側スリーブの開口は、そこを完全に通して延び、前記ステム部材は、ヘッド部分と、そこから延びたシャンクとを有し、前記ヘッド部分は、前記前側スリーブの開口の外側に配置される工程と、
ｅ）前記前側スリーブを、前記第２のワークピースの開口を通して、前記ハニカム材料の開口内に、並びに前記後側スリーブの開口内に挿入する工程であって、前記ステム部材のヘッド部分は、前記後側スリーブの開口内に配置される工程と、
ｆ）前記ステム部材のシャンク部分を引く工程であって、前記ステム部材のヘッド部分は、前記前側スリーブの開口に入って、前記前側スリーブを、またさらに前記後側スリーブを拡張し、前記第１及び前側スリーブは一緒に取り付けられ、そして前記後側スリーブおよび前記ハニカム材料は一緒に取り付けられる工程と、
ｇ）前記前側スリーブと前記ステム部材の長尺なシャンク部分を一緒にロックする工程と
を備えることを特徴とする方法。
【手続補正２】
【補正対象書類名】明細書
【補正対象項目名】００４８
【補正方法】変更
【補正の内容】
【００４８】
外部ロック用カラー３０９は、長尺なシャンク３５８の第３部分３６６の回りに配置される。このとき、外部ロック用カラー３０９は、前側スリーブ３０４の開口３４０の第１部分３４４に近接して、あるいは部分的にその中に配置される。
【手続補正３】
【補正対象書類名】明細書
【補正対象項目名】００５２
【補正方法】変更
【補正の内容】
【００５２】
図１０に示されているように、プルツール３７８が力Ｆ１をシフト用ワッシャ３１１の上側ワッシャ要素４２０に加え続けると、この力Ｆ１は剪断部４２４の剪断強度に打ち勝って、上側ワッシャ要素４２０が下側ワッシャ要素４２２から剪断される。上側ワッシャ要素４２０が下側ワッシャ要素４２２から剪断され、且つプルツール３７８が力Ｆ１を上側ワッシャ要素４２０に加えるに従い、上側ワッシャ要素４２０は外部ロック用カラー３０９内へ下向きに押し込まれる。外部ロック用カラー３０９は、このようにして前側スリーブ３０４の開口３４０の第１部分３４４内へ、またステム部材３０６の環状ロック溝３７０内へと変形させられる。外部ロック用カラー３０９の、前側スリーブ３０４の開口３４０の第１部分３４４内への変形およびステム部材３０６の環状ロック溝３７０内への変形は、ステム部材３０６と前側スリーブ３０４を一緒に確実にロックする。外部ロック用カラー３０９は、ジョイントの一体化と信頼性を強化するもので、設置後に見ることができる。外部ロック用カラー３０９はまた、ステム部材３０６が揺動することを防止し、更に正しい位置に保持されているので、ハニカムリベット３００にかかる剪断負荷を保証することを助ける。
【手続補正４】
【補正対象書類名】図面
【補正対象項目名】図２
【補正方法】変更
【補正の内容】
【図２】
2005518509.tif 000001
【手続補正５】
【補正対象書類名】図面
【補正対象項目名】図４
【補正方法】変更
【補正の内容】
【図４】
2005518509.tif 000002